(57)【要約】【課題】着座者に直接空調空気が当たることなく、着座者の周囲を、簡単な構造で効率よく空調できるようにした連結椅子を提供する【解決手段】背凭れ３の後面板９の形状を、側面視において後方に凸状となるように湾曲させるとともに、後面板９の下端から床面まで連続させる誘導板１１を設け、床面における誘導板１１の後方側に、誘導板１１に向けて空調空気を吹き出す吹出口１０を設ける。【選択図】        図１
2004283253.tif 000002
【特許請求の範囲】
【請求項１】
座と背凭れとを有する座席を、横方向に並べて構成される連結椅子において、
前記背凭れの後面形状を、側面視において後方に凸状となるように湾曲させるとともに、該背凭れの後面下端から床面までに至る誘導板を設け、床面における前記誘導板の後方側に、該誘導板に向けて空調空気を吹き出す吹出口を設けたことを特徴とする連結椅子。
【請求項２】
吹出口を、背凭れの下端より前方に配設した請求項１記載の連結椅子。
【請求項３】
吹出口の後方側の床面から起立する覆板を設け、該覆板の上端を、背凭れの後面下端より若干上方とし、かつ、背凭れの後面下端との間に隙間が形成されるようにした請求項１または２記載の連結椅子。
【請求項４】
吹出口を、連結椅子を構成する１個の座席の下方における床面に設け、覆板を、連結椅子を構成する隣接する他の座席にもわたるものとするとともに、端部の座席における隙間の外側端を閉鎖するが、隣接する座席間の隙間は閉鎖しないものとした請求項３記載の連結椅子。
【発明の詳細な説明】
【０００１】
【発明の属する技術分野】
本発明は、劇場、ホール等において用いられる連結椅子、特に新規な空調構造を備える連結椅子に関する。
【０００２】
【従来の技術】
大空間の劇場、ホール等を均一に空調する代わりに、各座席、特に、その背凭れ付近に空調空気を吹き出させて、空調の効果を高めようとするための各種提案がなされている（例えば、特許文献１〜３参照）。
【０００３】
【特許文献１】
特開平８−２０５９６３号公報（図１、図２、請求項１〜３）
【特許文献２】
特許第２８４２３５４号公報（図１、請求項１）
【特許文献３】
特開平８−１１００８２号公報（図１、図２、要約）
【０００４】
【発明が解決しようとする課題】
特許文献１及び２に開示されているものでは、空調空気を、各座席の背凭れ上端から上方に吹き出させており、特許文献３では、背凭れに後方から空調空気を吹き付けて反射させているが、いずれも空調空気が直接着座者に当たるおそれがあるだけでなく、空調効率が悪く、また周囲空気を吸引し易い層流を生じにくく、かつ各座席ごとに設ける必要があった。
【０００５】
本発明は、上述の問題点に鑑み、着座者に直接空調空気が当たることなく、着座者の周囲を、簡単な構造で、効率よく空調できるようにした連結椅子を提供することを目的としている。
【０００６】
【課題を解決するための手段】
本発明によると、上記課題は、次のようにして解決される。
（１）座と背凭れとを有する座席を、横方向に並べて構成される連結椅子において、前記背凭れの後面形状を、側面視において後方に凸状となるように湾曲させるとともに、該背凭れの後面下端から床面まで連続させる誘導板を設け、床面における前記誘導板の後方側に、該誘導板に向けて空調空気を吹き出す吹出口を設ける。
【０００７】
（２）上記（１）項において、吹出口を、背凭れの下端より前方に配設する。
【０００８】
（３）上記（１）または（２）項において、吹出口の後方側の床面から起立する覆板を設け、該覆板の上端を、背凭れの後面下端より若干上方とし、かつ、背凭れの後面下端との間に隙間が形成されるようにする。
【０００９】
（４）上記（３）項において、吹出口を、連結椅子を構成する１個の座席の下方における床面に設け、覆板を、連結椅子を構成する隣接する他の座席にもわたるものとするとともに、端部の座席における隙間の外側端を閉鎖するが、隣接する座席間の隙間は閉鎖しないものとする。
【００１０】
【発明の実施の形態】
図１〜図３は、本発明の連結椅子の一実施形態を示すもので、図１はその斜視図、図２はその分解斜視図、図３は着座者とともに示すその概念的縦断側面図である。
【００１１】
この連結椅子は、３個の座席（１ａ）（１ｂ）（１ｃ）を横方向に並べて連結してなるもので、それぞれが座（２）と背凭れ（３）と肘掛け（４）とを主要部材として構成されている。
【００１２】
肘掛け（４）は、床面に立設された前後方向を向く垂直板状の脚（５）上に形成された肘掛けフレーム（６）の両側に化粧板（７）を取り付けてなるもので、座（２）は、その後部両側から突出する枢軸（８）をもって、相隣る左右の脚（５）間に枢着されている。
【００１３】
それぞれの背凭れ（３）の後面は、後面板（９）により覆われており、この後面板（９）は、側面視において後方に向けて凸状となるように緩く湾曲している。
【００１４】
図１及び図３に示すように、中央の座席（１ｂ）の下方の床面には、空調空気を吹き出す横長方形の吹出口（１０）が穿設されている。この吹出口（１０）は、図３から明らかなように、後面板（９）の下端よりも前方に配設されており、座席の後方には露出しないようにしてある。
【００１５】
座席（１ｂ）の直下の吹出口（１０）の前端付近から後面板（９）の下端までを連続させる緩い曲線をなす誘導板（１１）が、床面上に設けられている。この誘導板（１１）は、座席（１ｂ）の左右の板状の脚（５）間を隙間なく連結するように形成されている。座席（１ａ）（１ｃ）にも同様な誘導板（１１）が設置されている。
【００１６】
座席（１ａ）（１ｂ）（１ｃ）の全幅に亘る覆板（１２）は、前述の吹出口（１０）の後端付近から上方に延び、誘導板（１１）の上端及び後面板（９）の下端部との間に、左右方向に細長い隙間（ｄ）（図１）を形成するようにして、後面板（９）の下端より若干上方に及ぶ高さ位置にまで達している。この覆板（１２）と誘導板（１１）とにより、図２に示すように吹出口（１０）から次第に絞られて後面板（９）に沿ってこれに平行に吹き出す空調空気流が形成される。
【００１７】
覆板（１２）は、連結椅子の端部の座席（１ａ）（１ｃ）の外端で終端しており、ここには、脚（５）の後端との間を塞ぐ側部閉塞部材（１３）が取り付けられており、この側部閉塞部材（１３）の上端は後面板（９）の下端より若干上方に及ぶ高さ位置にまで達している。中間の脚（５）と覆板（１２）との間には、このような側部閉塞部材がないので、隙間が残り、この隙間を介して吹出口（１０）からの空調空気を左右の座席（１ａ）（１ｃ）の下にも導くことができる。なお、必要に応じて、覆板（１２）の前面に、吹出口（１０）から左右の座席へ空調空気を導くそらせ板（図示略）を設けてもよい。
【００１８】
本発明の連結椅子は、このような構成であるので、図１及び図３に示すように、床面の吹出口（１０）から吹き出された空調空気は、中央の座席（１ｂ）ばかりでなく、左右の座席（１ａ）（１ｃ）にも導かれ、それぞれの誘導板（１１）と覆板（１２）との間の隙間から、後方に向けて凸状に湾曲した背凭れの後面すなわち後面板（９）に沿って上方へと吹き出し、後面板（９）の曲面によるコアンダ効果により、層流の空調空気流となり、周囲の空気を誘引し、これと混合しながら上昇する。これにより、座席に着座している観客の周囲を局部的に、かつ効率よく空調することが可能となる。この際、後部着座者に直接に強い風が当たることはない。
【００１９】
また、劇場等の椅子の置かれる位置に合わせて、背凭れ後面形状の湾曲の曲率を変えて、背凭れ上端からの空気の流れの方向を制御することにより、より適正な空調が可能となる。
【００２０】
【発明の効果】
請求項１記載の発明によれば、従来は吹き出した空調空気が乱流となって着座者に直接に風が当たりがちであったものが、空調空気が後面板に沿って流通し、コアンダ効果により層流を形成することによって、周囲空気を誘引、混合しながら上昇するので、風が着座者に直接当たることがなく、着座者の周囲を局部的かつ極めて効率よく空調することができる。また、構造上も床面に空調空気の吹出口を設けるだけでよいので、連結椅子の設置施工が容易になる。
【００２１】
請求項２記載の発明によれば、吹出口が座席の下に隠されるので、後部着座者の邪魔になることもなく、また見栄えがよい。
【００２２】
請求項３記載の発明によれば、座席の下の後面を覆うばかりでなく、座席後面との間に空調空気吹き出し用のノズル状の隙間を形成することができ、コアンダ効果を高めることができる。
【００２３】
請求項４記載の発明によれば、吹出口の存在する座席ばかりでなく、その脇の座席へも空調空気を分配することができる。
【図面の簡単な説明】
【図１】本発明の連結椅子の一実施形態の斜視図である。
【図２】同じく、分解斜視図である。
【図３】同じく、着座者を含めた概念的な縦断側面図である。
【符号の説明】
（１ａ）（１ｂ）（１ｃ）座席
（２）座
（３）背凭れ
（４）肘掛け
（５）脚
（６）肘掛けフレーム
（７）化粧板
（８）枢軸
（９）後面板
（１０）吹出口
（１１）誘導板
（１２）覆板
（１３）側部閉塞部材
（ｄ）隙間
【図１】
2004283253.tif 000003
【図２】
2004283253.tif 000004
【図３】
2004283253.tif 000005